(57)【要約】  表示パネル用駆動回路が提供される。前記駆動回路は、少なくとも１つの駆動信号線と、複数のデータ信号線とを備える。前記少なくとも１つの駆動信号線は、表示駆動信号送信ユニットに接続され、前記少なくとも１つの駆動信号線を介して、表示駆動信号送信ユニットによって生成された表示駆動信号を前記異なる色成分の複数のサブ画素に供給する。前記複数のデータ信号線は、前記複数のデータ信号線を介して、表示データ供給ユニットによって供給された表示データ信号を前記異なる色成分の複数のサブ画素に伝送する。前記複数のデータ信号線のうちの少なくとも２つのデータ信号線は、前記１つの色成分のサブ画素に表示データ信号を伝送する。前記少なくとも２つのデータ信号線は、異なる時間点から前記１つの色成分のサブ画素に表示データ信号を伝送する。上記表示パネル用駆動回路は、瞬時の過大負荷に起因する表示パネルの入力信号の信号ノイズを効果的に克服する。
2019509520.tif 000002
【特許請求の範囲】
【請求項１】
表示パネル用の駆動回路であって、前記表示パネルは、マトリックス状に配置された複数の画素ユニットから構成された画素ユニットマトリックスを含み、各画素ユニットは、異なる色成分のサブ画素から構成され、前記表示パネルにおける１行又は１列の画素ユニットに含まれる異なる色成分の複数のサブ画素に対して、前記駆動回路は、少なくとも１つの駆動信号線と、複数のデータ信号線とを含み、
前記少なくとも１つの駆動信号線は、表示駆動信号送信ユニットに接続され、前記少なくとも１つの駆動信号線を介して、表示駆動信号送信ユニットによって生成された表示駆動信号を前記異なる色成分の複数のサブ画素に供給し、
前記複数のデータ信号線は、表示データ供給ユニットに接続され、前記複数のデータ信号線を介して、表示データ供給ユニットによって供給された表示データ信号を前記異なる色成分の複数のサブ画素に伝送し、
前記異なる色成分の複数のサブ画素のうちの１つの色成分のサブ画素に対して、前記複数のデータ信号線の少なくとも２つのデータ信号線は、前記１つの色成分のサブ画素に表示データ信号を伝送し、前記少なくとも２つのデータ信号線は、異なる時間点から前記１つの色成分のサブ画素に表示データ信号を伝送する、ことを特徴とする駆動回路。
【請求項２】
前記異なる色成分の複数のサブ画素のうちの１つの色成分のサブ画素は、少なくとも２つの部分に分割され、
前記１つの色成分のサブ画素に表示データ信号を伝送するためのデータ信号線の数は、前記１つの色成分のサブ画素を分割して得られた部分の数と同じであり、１つのデータ信号線は、対応する一部分のサブ画素に表示データ信号を伝送する、ことを特徴とする請求項１に記載の駆動回路。
【請求項３】
前記少なくとも２つのデータ信号線は、所定の時間間隔でそれぞれの対応する一部分のサブ画素に表示データ信号を伝送し始める、ことを特徴とする請求項２に記載の駆動回路。
【請求項４】
前記少なくとも２つのデータ信号線のそれぞれがそれぞれの対応する一部分のサブ画素に表示データ信号を伝送するためのサブ画素充電周期の間には重なりがある、ことを特徴とする請求項３に記載の駆動回路。
【請求項５】
前記複数のデータ信号線が異なる色成分のサブ画素に表示データ信号を伝送するためのサブ画素充電周期には重なりがない、ことを特徴とする請求項１に記載の駆動回路。
【請求項６】
表示パネルであって、マトリックス状に配置された複数の画素ユニットから構成された画素ユニットマトリックスを含み、各画素ユニットは、異なる色成分のサブ画素から構成され、１行又は１列の画素ユニットに含まれる異なる色成分の複数のサブ画素に対して、前記表示パネルは駆動回路をさらに含み、前記駆動回路は、少なくとも１つの駆動信号線と、複数のデータ信号線とを含み、
前記少なくとも１つの駆動信号線は、表示駆動信号送信ユニットに接続され、前記少なくとも１つの駆動信号線を介して、表示駆動信号送信ユニットによって生成された表示駆動信号を前記異なる色成分の複数のサブ画素に供給し、
前記複数のデータ信号線は、表示データ供給ユニットに接続され、前記複数のデータ信号線を介して、表示データ供給ユニットによって供給された表示データ信号を前記異なる色成分の複数のサブ画素に伝送し、
前記異なる色成分の複数のサブ画素のうちの１つの色成分のサブ画素に対して、前記複数のデータ信号線の少なくとも２つのデータ信号線は、前記１つの色成分のサブ画素に表示データ信号を伝送し、前記少なくとも２つのデータ信号線は、異なる時間点から前記１つの色成分のサブ画素に表示データ信号を伝送する、ことを特徴とする表示パネル。
【請求項７】
前記異なる色成分の複数のサブ画素のうちの１つの色成分のサブ画素は、少なくとも２つの部分に分割され、
前記１つの色成分のサブ画素に表示データ信号を伝送するためのデータ信号線の数は、前記１つの色成分のサブ画素を分割して得られた部分の数と同じであり、１つのデータ信号線は、対応する一部分のサブ画素に表示データ信号を伝送する、ことを特徴とする請求項６に記載の表示パネル。
【請求項８】
前記少なくとも７つのデータ信号線は、所定の時間間隔でそれぞれの対応する一部分のサブ画素に表示データ信号を伝送し始める、ことを特徴とする請求項７に記載の表示パネル。
【請求項９】
前記少なくとも２つのデータ信号線がそれぞれ対応する一部分のサブ画素に表示データ信号を伝送するためのサブ画素充電周期の間には重なりがある、ことを特徴とする請求項８に記載の表示パネル。
【請求項１０】
前記複数のデータ信号線が異なる色成分のサブ画素に表示データ信号を伝送するためのサブ画素充電周期には重なりがない、ことを特徴とする請求項６に記載の表示パネル。
【発明の詳細な説明】
【技術分野】
【０００１】
本発明は、一般に、表示技術の分野に関し、特に、表示パネル用駆動回路に関する。
【背景技術】
【０００２】
液晶ディスプレイ（ＬＣＤ）の継続的な発展に伴い、ＬＣＤ表示画面に対する需要がますます高まっているだけでなく、表示の高精細化に対する要求もますます高まり、画面表示の品質に対する追求もますます厳しくなっている。そのため、画面の表示品質をどのように向上させるか、各入力出力信号ユニットの信号品質をどのように改善するかが、研究及び討究の課題となっている。
【０００３】
現在、既存の液晶ディスプレイの内部構造は、一般的に、図１に示される形式であり、既存のマルチチャンネル選択スイッチ（ＭＵＸ）の駆動構造は、１：２ＭＵＸ（２：４ＭＵＸ）又は１：３ＭＵＸ（２：６ＭＵＸ）モードである。図１は、従来の液晶ディスプレイにおける１行の画素ユニットに含まれる異なる色成分の複数のサブ画素に対応する駆動回路の構造を示す。図１において、採用された駆動構造は１：３ＭＵＸモードであり、液晶ディスプレイにおける１行の画素ユニットは、Ｓ（１）〜Ｓ（２Ｎ）を用いて表され、各画素ユニットは、例えば、赤色成分のサブ画素（Ｒ）、緑色成分のサブ画素（Ｇ）、及び青色成分のサブ画素（Ｂ）の３つの色成分のサブ画素を含み、ＧＡＴＥ（Ｎ）は、駆動信号線であり、１行の画素ユニットの各サブ画素に表示駆動信号を供給し、ＭＵＸ＿Ｒ、ＭＵＸ＿Ｇ、ＭＵＸ＿Ｂは、データ信号線であり、赤色成分のサブ画素（Ｒ）、緑色成分のサブ画素（Ｇ）、及び青色成分のサブ画素（Ｂ）に表示データ信号をそれぞれ供給する。
【０００４】
従来の液晶ディスプレイの動作プロセスは以下のとおりである。ＧＡＴＥ（Ｎ）駆動信号線のレベルがローレベルからハイレベルに変化すると、ＧＡＴＥ（Ｎ）に接続された各ＭＯＳトランジスタのゲートに電圧が供給される。それにより、各ＭＯＳトランジスタが導通し、所定の時間Ｔ１が経過した後、データ信号線ＭＵＸ＿Ｒのレベルがプルアップされる。このとき、１行の画素ユニットの全ての赤色成分のサブ画素（Ｒ）に接続された薄膜トランジスタ（ＴＦＴ）が導通して（即ち、図１のＴ０１、Ｔ０４、Ｔ０７、Ｔ１０が同時に導通して）、ＧＡＴＥ（Ｎ）に対応する行の全ての赤色成分のサブ画素（Ｒ）を充電し始める。即ち、データ信号線ＭＵＸ＿Ｒにより、１行の画素ユニットの全ての赤色成分のサブ画素（Ｒ）に表示データ信号が供給される。
【０００５】
同様に、ＧＡＴＥ（Ｎ）に対応する行の全ての赤色成分のサブ画素（Ｒ）に対する充電が完了した後、データ信号線ＭＵＸ＿Ｒのレベルがプルダウンされる。所定の時間Ｔ２が経過した後、データ信号線ＭＵＸ＿Ｇのレベルがプルアップされる。このとき、１行の画素ユニットの全ての緑色成分のサブ画素（Ｇ）に接続された薄膜トランジスタ（ＴＦＴ）が導通して（即ち、図１のＴ０２、Ｔ０５、Ｔ０８、Ｔ１１が同時に導通して）、ＧＡＴＥ（Ｎ）に対応する行の全ての緑色成分のサブ画素（Ｇ）を充電する。
【０００６】
同様に、ＧＡＴＥ（Ｎ）に対応する行の全ての緑色成分のサブ画素（Ｇ）に対する充電が完了した後、データ信号線ＭＵＸ＿Ｇのレベルがプルダウンされる。所定の時間Ｔ３が経過した後、データ信号線ＭＵＸ＿Ｂのレベルがプルアップされる。このとき、１行の画素ユニットの全ての青色成分のサブ画素（Ｂ）に接続された薄膜トランジスタ（ＴＦＴ）が導通して（即ち、図１のＴ０３、Ｔ０６、Ｔ０９、Ｔ１２が同時に導通して）、ＧＡＴＥ（Ｎ）に対応する行の全ての青色成分のサブ画素（Ｂ）を充電する。
【０００７】
ＧＡＴＥ（Ｎ）に対応する行の全ての青色成分のサブ画素（Ｂ）に対する充電が完了した後、データ信号線ＭＵＸ＿Ｂのレベルがプルダウンされる。所定の時間Ｔ４が経過した後、駆動信号線ＧＡＴＥ（Ｎ）のレベルがプルダウンされて、１行の周期信号の充電が完了する。その後、上記ステップを繰り返して、液晶ディスプレイ全体を充電する。
【０００８】
図２は、図１の駆動信号線ＧＡＴＥ（Ｎ）、データ信号線ＭＵＸ＿Ｒ、ＭＵＸ＿Ｇ、ＭＵＸ＿Ｂの駆動タイミング図を示す。ＧＡＴＥ（Ｎ）の１つのハイレベル周期では、ＭＵＸ＿Ｒ、ＭＵＸ＿Ｇ、ＭＵＸ＿Ｂは、対応する色成分のサブ画素を順に充電する。
【０００９】
図３は、図１の液晶ディスプレイの駆動回路の実際の信号波形図を示す。図３からわかるように、データ信号線ＭＵＸ＿Ｒ（又はＭＵＸ＿Ｇ、又はＭＵＸ＿Ｂ）が対応する色成分のサブ画素を充電し始めると、液晶表示モジュール（ＬＣＭ）は液晶ディスプレイの駆動集積回路（駆動ＩＣ）に対して瞬時に大きく負荷モデル化するため、駆動ＩＣの出力、即ち、ＭＯＳトランジスタアレイ（ＧＯＡ）の実際の入力制御信号（例えば、実際の入力制御信号はＣＫ（クロック信号）、ＳＴＶ（１フレームの開始信号）、ＲＥＳＥＴ（リセット信号）などであってもよい）には、ノイズが生じる（図３に示されるように）。
【発明の概要】
【発明が解決しようとする課題】
【００１０】
本発明の例示的な実施例は、既存の表示パネルにおけるデータ信号線が各色成分のサブ画素を充電するとき、ＧＯＡの実際の入力制御信号にノイズが生じるという技術的問題を解決するために、表示パネル用駆動回路を提供することである。
【００１１】
本発明の例示的な実施例の一態様によれば、表示パネル用駆動回路が提供される。前記表示パネルは、マトリックス状に配置された複数の画素ユニットから構成された画素ユニットマトリックスを含む。各画素ユニットは、異なる色成分のサブ画素から構成される。前記表示パネルにおける１行又は１列の画素ユニットに含まれる異なる色成分の複数のサブ画素に対して、前記駆動回路は、少なくとも１つの駆動信号線と、複数のデータ信号線とを備える。前記少なくとも１つの駆動信号線は、表示駆動信号送信ユニットに接続され、前記少なくとも１つの駆動信号線を介して、表示駆動信号送信ユニットによって生成された表示駆動信号を前記異なる色成分の複数のサブ画素に供給する。前記複数のデータ信号線は、表示データ供給ユニットに接続され、前記複数のデータ信号線を介して、表示データ供給ユニットによって供給された表示データ信号を前記異なる色成分の複数のサブ画素に伝送する。前記異なる色成分の複数のサブ画素のうちの１つの色成分のサブ画素に対して、前記複数のデータ信号線の少なくとも２つのデータ信号線は、前記１つの色成分のサブ画素に表示データ信号を伝送する。前記少なくとも２つのデータ信号線は、異なる時間点から前記１つの色成分のサブ画素に表示データ信号を伝送する。
【００１２】
好ましくは、前記異なる色成分の複数のサブ画素のうちの１つの色成分のサブ画素は、少なくとも２つの部分に分割されてもよい。前記１つの色成分のサブ画素に表示データ信号を伝送するためのデータ信号線の数は、前記１つの色成分のサブ画素を分割して得られた部分の数と同じであってもよい。１つのデータ信号線は、対応する一部分のサブ画素に表示データ信号を伝送することができる。
【００１３】
好ましくは、前記少なくとも２つのデータ信号線は、所定の時間間隔でそれぞれの対応する一部分のサブ画素に表示データ信号を伝送し始めることができる。
【００１４】
好ましくは、前記少なくとも２つのデータ信号線のそれぞれがそれぞれの対応する一部分のサブ画素に表示データ信号を伝送するためのサブ画素充電周期の間には重なりがあってもよい。
【００１５】
好ましくは、前記複数のデータ信号線が異なる色成分のサブ画素に表示データ信号を伝送するためのサブ画素充電周期には重なりがなくてもよい。
【００１６】
上記表示パネル用駆動回路を採用することによって、表示パネルＭＵＸがオンされるときの瞬時負荷モデル化の程度が低下し、瞬時過大負荷に起因する表示パネルの入力信号の信号ノイズが効果的に克服され、さらに入力信号の品質が改善され、画面の表示品質が向上する。
【図面の簡単な説明】
【００１７】
【図１】従来の液晶ディスプレイにおける１行の画素ユニットに含まれる異なる色成分の複数のサブ画素に対応する駆動回路の構造を示す。
【図２】図１の駆動信号線ＧＡＴＥ（Ｎ）、データ信号線ＭＵＸ＿Ｒ、ＭＵＸ＿Ｇ、ＭＵＸ＿Ｂの駆動タイミング図を示す。
【図３】図１の液晶ディスプレイの駆動回路の実際の信号波形図を示す。
【図４】本発明の例示的な実施例による表示パネル用駆動回路の構造図を示す。
【図５】本発明の例示的な実施例による図４の駆動信号線ＧＡＴＥ（Ｎ）、データ信号線ＭＵＸＲ、ＭＵＸＲ（Ｎ）、ＭＵＸＧ、ＭＵＸＧ（Ｎ）、ＭＵＸＢ、ＭＵＸＢ（Ｎ）の駆動タイミング図を示す。
【図６】本発明の例示的な実施例による図４の表示パネル用駆動回路の実際の信号波形図を示す。
【発明を実施するための形態】
【００１８】
本発明の例示的な実施例を詳細に説明し、本発明の例示的な実施例の例を添付の図面に示す。以下、図面を参照しながら実施例を説明して、本発明を解釈する。しかしながら、本発明は、多くの異なる形態で実行されてもよく、本明細書に記載される例示的な実施例に限定されると解釈されるべきではない。代わりに、この開示が徹底的かつ完全となるために、これらの実施例が提供される。また、これらの実施例により、本発明の範囲が完全に当業者に伝達される。
【００１９】
本発明の例示的な実施例では、表示パネル用駆動回路が提供される。ここで、前記表示パネルは、マトリックス状に配置された複数の画素ユニットから構成された画素ユニットマトリックスを含み、各画素ユニットは、異なる色成分のサブ画素から構成される。
【００２０】
前記表示パネルにおける１行又は１列の画素ユニットに含まれる異なる色成分の複数のサブ画素に対して、この駆動回路は、少なくとも１つの駆動信号線と、複数のデータ信号線とを備える。前記少なくとも１つの駆動信号線は、表示駆動信号送信ユニットに接続され、前記少なくとも１つの駆動信号線を介して、表示駆動信号送信ユニットによって生成された表示駆動信号を前記異なる色成分の複数のサブ画素に供給する。前記複数のデータ信号線は、表示データ供給ユニットに接続され、前記複数のデータ信号線を介して、表示データ供給ユニットによって供給された表示データ信号を前記異なる色成分の複数のサブ画素に伝送する。前記異なる色成分の複数のサブ画素のうちの１つの色成分のサブ画素に対して、前記複数のデータ信号線の少なくとも２つのデータ信号線は、前記１つの色成分のサブ画素に表示データ信号を伝送する。前記少なくとも２つのデータ信号線は、異なる時間点から前記１つの色成分のサブ画素に表示データ信号を伝送する。
【００２１】
上記の表示パネル用駆動回路によれば、１行又は１列の画素ユニットの１つの色成分のサブ画素に少なくとも２つのデータ信号線によって表示データ信号が供給されるので、データ信号線が各色成分のサブ画素を充電するときの瞬時負荷モデル化の程度を効果的に低減することができ、入力信号のノイズを回避することができる。
【００２２】
以下、図４を参照して、各画素ユニットに３つの色成分のサブ画素（即ち、赤色成分のサブ画素（Ｒ）、緑色成分のサブ画素（Ｇ）、青色成分のサブ画素（Ｂ））が含まれることを例として、本発明の例示的な実施例による前記表示パネルの１行又は１列の画素ユニットに含まれる異なる色成分の複数のサブ画素のための駆動回路の動作原理を詳細に説明する。
【００２３】
図４は、本発明の例示的な実施例による表示パネル用駆動回路の構造図を示す。図４に示される例では、採用された駆動構造は１：３ＭＵＸモードである。表示パネルの１行の画素ユニットは、Ｓ（１）〜Ｓ（２Ｎ）を用いて表され、各画素ユニットは、例えば、赤色成分のサブ画素（Ｒ）、緑色成分のサブ画素（Ｇ）、及び青色成分のサブ画素（Ｂ）の３つの色成分のサブ画素を含む。ＧＡＴＥ（Ｎ）は、駆動信号線であり、１行の画素ユニットの各サブ画素に表示駆動信号を供給する。ＭＵＸＲ、ＭＵＸＲ（Ｎ）、ＭＵＸＧ、ＭＵＸＧ（Ｎ）、ＭＵＸＢ、ＭＵＸＢ（Ｎ）は、データ信号線である。ＭＵＸＲ、ＭＵＸＲ（Ｎ）は共に１行の画素ユニットの全ての赤色成分のサブ画素（Ｒ）にデータ信号線を提供し、即ち、ＭＵＸＲ、ＭＵＸＲ（Ｎ）は共に１行の画素ユニットの全ての赤色成分のサブ画素（Ｒ）を充電する。ＭＵＸＧ、ＭＵＸＧ（Ｎ）は共に１行の画素ユニットの全ての緑色成分のサブ画素（Ｇ）にデータ信号線を提供し、即ち、ＭＵＸＧ、ＭＵＸＧ（Ｎ）は共に１行の画素ユニットの全ての緑色成分のサブ画素（Ｇ）を充電する。ＭＵＸＢ、ＭＵＸＢ（Ｎ）は共に１行の画素ユニットの全ての青色成分のサブ画素（Ｂ）にデータ信号線を提供し、即ち、ＭＵＸＢ、ＭＵＸＢ（Ｎ）は共に１行の画素ユニットの全ての青色成分のサブ画素（Ｂ）を充電する。
【００２４】
図４に示されるように、前記異なる色成分の複数のサブ画素のうちの１つの色成分のサブ画素を少なくとも２つの部分に分割することができる。１つのデータ信号線は、対応する一部分のサブ画素に表示データ信号を伝送する。即ち、前記１つの色成分のサブ画素に表示データ信号を伝送するためのデータ信号線の数は、前記１つの色成分のサブ画素を分割して得られた部分の数と同じである。
【００２５】
図４に示される例において、１つの色成分のサブ画素を２つの部分に分割することができ、例えば、図４に示されるように、１行の画素ユニットの全ての赤色成分のサブ画素（Ｒ）を２つの部分に分割する。Ｔ０１、Ｔ０７が１つのグループ（以下、「第１グループ」という）とされ、Ｔ０４、Ｔ１０が１つのグループ（以下、「第２グループ」という）とされる。データ信号線ＭＵＸＲは、赤色成分のサブ画素（Ｒ）Ｔ０４及びＴ１０を充電し、データ信号線ＭＵＸＲ（Ｎ）は、赤色成分のサブ画素（Ｒ）Ｔ０１及びＴ０７を充電する。
【００２６】
同様に、図４に示されるように、１行の画素ユニットの全ての緑色成分のサブ画素（Ｇ）を２つの部分に分割することができる。Ｔ０２、Ｔ０８が１つのグループ（以下、「第３グループ」という）とされ、Ｔ０５、Ｔ１１が１つのグループ（以下、「第４グループ」）とされる。データ信号線ＭＵＸＧは、緑色成分のサブ画素（Ｇ）Ｔ０５、Ｔ１１を充電し、データ信号線ＭＵＸＧ（Ｎ）は、緑色成分のサブ画素（Ｇ）Ｔ０２、Ｔ０８を充電する。
【００２７】
図４に示されるように、１行の画素ユニットの全ての青色成分のサブ画素（Ｂ）を２つの部分に分割することもできる。Ｔ０３、Ｔ０９が１つのグループ（以下、「第５グループ」という）とされ、Ｔ０６、Ｔ１２が１つのグループ（以下、「第６グループ」という）とされる。データ信号線ＭＵＸＢは、青色成分のサブ画素（Ｂ）Ｔ０６、Ｔ１２を充電し、データ信号線ＭＵＸＢ（Ｎ）は、青色成分のサブ画素（Ｂ）Ｔ０３、Ｔ０９を充電する。
【００２８】
データ信号線ＭＵＸＲ、ＭＵＸＲ（Ｎ）、ＭＵＸＧ、ＭＵＸＧ（Ｎ）、ＭＵＸＢ、ＭＵＸＢ（Ｎ）が対応する色成分のサブ画素を充電するプロセスは以下のとおりである。
【００２９】
ＧＡＴＥ（Ｎ）駆動信号線のレベルがローレベルからハイレベルに変化すると、ＧＡＴＥ（Ｎ）に接続された各ＭＯＳトランジスタのゲートに電圧が供給される。それにより、各ＭＯＳトランジスタが導通し、所定の時間ｔ１が経過した後、データ信号線ＭＵＸＲのレベルがプルアップされる。このとき、１行の画素ユニットの第２グループの赤色成分のサブ画素（Ｒ）に接続された薄膜トランジスタ（ＴＦＴ）が導通して（即ち、図４のＴ０４、Ｔ１０が同時に導通して）、ＧＡＴＥ（Ｎ）に対応する行の第２グループの赤色成分のサブ画素（Ｒ）を充電し始める。即ち、データ信号線ＭＵＸＲにより、１行の画素ユニットの第２グループの赤色成分のサブ画素（Ｒ）に表示データ信号が供給される。
【００３０】
所定の時間間隔△Ｔが経過した後、データ信号線ＭＵＸＲ（Ｎ）のレベルがプルアップされる。このとき、１行の画素ユニットの第１グループの赤色成分のサブ画素（Ｒ）に接続された薄膜トランジスタ（ＴＦＴ）が導通して（即ち、図４のＴ０１、Ｔ０７が同時に導通して）、ＧＡＴＥ（Ｎ）に対応する行の第１グループの赤色成分のサブ画素（Ｒ）を充電し始める。即ち、データ信号線ＭＵＸＲ（Ｎ）により、１行の画素ユニットの第１グループの赤色成分のサブ画素（Ｒ）に表示データ信号が供給される。一例として、所定の時間間隔ΔＴは、具体的な駆動集積回路の駆動能力と、表示パネルの抵抗、静電容量、インピーダンス、及び表示パネルの構成材料の誘電率の値とによって決定されてもよい。
【００３１】
なお、本発明の例示的な実施例では、１つの色成分のサブ画素を２つの部分に分割することに限定されず、１つの色成分のサブ画素を３つ以上の部分に分割してもよい。相応に、対応するデータ信号線の数を増加することができる。このとき、ＧＡＴＥ（Ｎ）に対応する行の全ての赤色成分のサブ画素（Ｒ）の充電が完了するまでに、各データ信号線は所定の時間間隔でそれぞれの対応する一部分のサブ画素を充電する。
【００３２】
同様に、ＧＡＴＥ（Ｎ）に対応する行の全ての赤色成分のサブ画素（Ｒ）に対する充電が完了した後、データ信号線ＭＵＸＲ、ＭＵＸＲ（Ｎ）のレベルがプルダウンされる。所定の時間△ｔが経過した後、データ信号線ＭＵＸＧのレベルがプルアップされる。このとき、１行の画素ユニットの第４グループの緑色成分のサブ画素（Ｇ）に接続された薄膜トランジスタ（ＴＦＴ）が導通して（即ち、図４のＴ０８、Ｔ１１が同時に導通して）、ＧＡＴＥ（Ｎ）に対応する行の第４グループの緑色成分のサブ画素（Ｇ）を充電する。
【００３３】
所定の時間△Ｔが経過した後、データ信号線ＭＵＸＧ（Ｎ）レベルがプルアップされる。このとき、１行の画素ユニットの第３グループの緑色成分のサブ画素（Ｇ）に接続された薄膜トランジスタ（ＴＦＴ）が導通して（即ち、図４のＴ０２、Ｔ０５が同時に導通して）、ＧＡＴＥ（Ｎ）に対応する行の第３グループの緑色成分のサブ画素（Ｇ）を充電する。
【００３４】
なお、本発明の例示的な実施例では、緑色成分のサブ画素（Ｇ）を２つの部分に分割することに限定されず、緑色成分のサブ画素（Ｇ）を３つ以上の部分に分割してもよい。相応に、対応するデータ信号線の数を増加することができる。このとき、ＧＡＴＥ（Ｎ）に対応する行の全ての緑色成分のサブ画素（Ｇ）の充電が完了するまでに、各データ信号線は所定の時間間隔でそれぞれの対応する一部分のサブ画素を充電する。
【００３５】
ＧＡＴＥ（Ｎ）に対応する行の全ての緑色成分のサブ画素（Ｇ）に対する充電が完了した後、データ信号線ＭＵＸＧ、ＭＵＸＧ（Ｎ）のレベルがプルダウンされる。所定の時間△ｔが経過した後、データ信号線ＭＵＸＢのレベルがプルアップされる。このとき、１行の画素ユニットの第６グループの青色成分のサブ画素（Ｂ）に接続された薄膜トランジスタ（ＴＦＴ）が導通して（即ち、図４のＴ０９、Ｔ１２が同時に導通して）、ＧＡＴＥ（Ｎ）に対応する行の第６グループの緑色成分のサブ画素（Ｂ）を充電する。
【００３６】
所定の時間△Ｔが経過した後、データ信号線ＭＵＸＢ（Ｎ）レベルがプルアップされる。このとき、１行の画素ユニットの第５グループの青色成分のサブ画素（Ｂ）に接続された薄膜トランジスタ（ＴＦＴ）が導通して（即ち、図４のＴ０３、Ｔ０６が同時に導通して）、ＧＡＴＥ（Ｎ）に対応する行の第５グループの青色成分のサブ画素（Ｂ）を充電する。
【００３７】
なお、本発明の例示的な実施例では、青色成分のサブ画素（Ｂ）を２つの部分に分割することに限定されず、青色成分のサブ画素（Ｂ）を３つ以上の部分に分割してもよい。相応に、対応するデータ信号線の数を増加することができる。このとき、ＧＡＴＥ（Ｎ）に対応する行の全ての青色成分のサブ画素（Ｂ）の充電が完了するまでに、各データ信号線は所定の時間間隔でそれぞれの対応する一部分のサブ画素を充電する。
【００３８】
ＧＡＴＥ（Ｎ）に対応する行の全ての青色成分のサブ画素（Ｂ）に対する充電が完了した後、データ信号線ＭＵＸＢ、ＭＵＸＢ（Ｎ）のレベルがプルダウンされる。所定の時間△ｔが経過した後、駆動信号線ＧＡＴＥ（Ｎ）のレベルがプルダウンされて、１行の周期信号の充電が完了する。その後、上記ステップを繰り返して、表示パネル全体を充電する。
【００３９】
なお、図４に示される駆動回路の構造は一例に過ぎず、当業者であれば、必要に応じて図４に示される駆動回路の構造を調整することができる。例えば、２つ以上の駆動信号線を使用して、表示パネルの１行又は１列の画素ユニットに含まれる異なる色成分の複数のサブ画素に表示駆動信号を供給するために、駆動信号線の数を増加することができる。あるいは、データ信号線の数を増加して、例えば、３つ以上のデータ信号線を使用して、１つの色成分のサブ画素に表示データ信号を伝送することができる。さらに、当業者であれば、必要に応じて、各データ信号線がサブ画素を充電する順序を調整することもできる。少なくとも２つのデータ信号線に基づいて１つの色成分のサブ画素を充電する様々な技術案は、いずれも本発明の保護範囲内にあり、ここでは詳細に説明しない。
【００４０】
図５は、本発明の例示的な実施例による図４の駆動信号線ＧＡＴＥ（Ｎ）、データ信号線ＭＵＸＲ、ＭＵＸＲ（Ｎ）、ＭＵＸＧ、ＭＵＸＧ（Ｎ）、ＭＵＸＢ、ＭＵＸＢ（Ｎ）の駆動タイミング図を示す。
【００４１】
図５に示されるように、ＧＡＴＥ（Ｎ）の１つのハイレベル周期では、ＭＵＸＲ、ＭＵＸＲ（Ｎ）、ＭＵＸＧ、ＭＵＸＧ（Ｎ）、ＭＵＸＢ、ＭＵＸＢ（Ｎ）は、異なる時間点から対応する色成分のサブ画素を順に充電する。
【００４２】
前記少なくとも２つのデータ信号線のそれぞれがそれぞれの対応する一部分のサブ画素に表示データ信号を伝送するためのサブ画素充電周期の間には重なりがある。図中、Ｔは１つのサブ画素充電周期を示す。図５からわかるように、ＭＵＸＲに対応するサブ画素充電周期と、ＭＵＸＲ（Ｎ）に対応するサブ画素充電周期との間には重なりがあり、ＭＵＸＲ、ＭＵＸＲ（Ｎ）に対応するサブ画素充電周期の開始時間は所定の時間間隔で互いに異なる。同様に、ＭＵＸＧに対応するサブ画素充電周期と、ＭＵＸＧ（Ｎ）に対応するサブ画素充電周期との間には重なりがあり、ＭＵＸＧ、ＭＵＸＧ（Ｎ）に対応するサブ画素充電周期の開始時間は所定の時間間隔で互いに異なる。ＭＵＸＢに対応するサブ画素充電周期、ＭＵＸＢ（Ｎ）に対応するサブ画素充電周期との間には重なりがあり、ＭＵＸＢ、ＭＵＸＢ（Ｎ）に対応するサブ画素充電周期の開始時間は所定の時間間隔で互いに異なる。１つの色成分のサブ画素を充電する少なくとも２つのデータ信号線は、異なる開始時間で対応する部分のサブ画素を充電することによって、表示パネルの入力信号に対する瞬時負荷モデル化の程度を効果的に低減することができる（時分割負荷モデル化に変更する）。
【００４３】
しかしながら、図５に示されるように、前記複数のデータ信号線が異なる色成分のサブ画素に表示データ信号を伝送するためのサブ画素充電周期の間には、重なりがない。即ち、ＭＵＸＲ及びＭＵＸＲ（Ｎ）に対応するサブ画素充電周期と、ＭＵＸＧ及びＭＵＸＧ（Ｎ）に対応するサブ画素充電周期と、ＭＵＸＢ及びＭＵＸＢ（Ｎ）に対応するサブ画素充電周期との三者の間には、重なりがない。
【００４４】
図６は、本発明の例示的な実施例による図４の表示パネル用駆動回路の実際の信号波形図を示す。
【００４５】
図１に示される従来の駆動回路では、１行の画素ユニットにおける全ての赤色成分のサブ画素（Ｒ）は１つのデータ信号線ＭＵＸ＿Ｒを共有し、全ての緑色成分のサブ画素（Ｇ）は１つのデータ信号線ＭＵＸ＿Ｇを共有し、全ての青色成分のサブ画素（Ｂ）は１つのデータ信号線ＭＵＸ＿Ｂを共有するため、入力信号にはノイズが出現する。図６からわかるように、本発明の例示的な実施例の表示パネル用駆動回路は、１つの色成分のサブ画素を充電した後、瞬時の過大負荷に起因する表示パネルの入力信号の信号ノイズが効果的に克服され、さらに、入力信号の品質が改善され、画面の表示品質が向上する。
【００４６】
以上、特定の例示的な実施例を参照しながら本発明を説明したが、本発明の実施はこれに限定されない。当業者であれば、本発明の趣旨及び範囲内で様々な変更及び変形が可能であり、そのような変更及び変形は特許請求の範囲に含まれるものとする。
【図１】
2019509520.tif 000003
【図２】
2019509520.tif 000004
【図３】
2019509520.tif 000005
【図４】
2019509520.tif 000006
【図５】
2019509520.tif 000007
【図６】
2019509520.tif 000008
【国際調査報告】
2019509520.tif 000009
2019509520.tif 000010
2019509520.tif 000011
2019509520.tif 000012